(57)【要約】【課題】画像表示装置における補正性能を向上させる。【解決手段】画像表示装置が、対応付けられた発光領域をそれぞれ有し、該発光領域を発光させることによって複数色から構成される画像を表示する複数の表示素子と、複数の前記表示素子おきに配置される部材と、入力された画像データに基づいて、前記表示素子を駆動するための各色に対応する駆動信号を出力する駆動回路と、を有する。前記駆動回路は、補正された前記駆動信号を出力するための補正回路を有する。該補正回路は、「入力された画像データによる所定の発光領域の発光の量に対して、該所定の発光領域以外の発光領域に対応する表示素子の駆動が与えうる変化量」のうち「前記部材によって減じられる量」を補償するための値を算出する算出回路と、前記算出回路によって算出された値を、前記駆動信号の対応する色に応じた調整値によって調整する調整回路と、を有する。【選択図】図１
2006195444.tif 000002
【特許請求の範囲】
【請求項１】
画像表示装置であって、
対応付けられた発光領域をそれぞれ有し、該発光領域を発光させることによって複数色から構成される画像を表示する複数の表示素子と、
複数の前記表示素子おきに配置される部材と、
入力された画像データに基づいて、前記表示素子を駆動するための各色に対応する駆動信号を出力する駆動回路と、を有し、
前記駆動回路は、補正された前記駆動信号を出力するための補正回路を有しており、
該補正回路は、
入力された画像データによる所定の発光領域の発光の量に対して、該所定の発光領域以外の発光領域に対応する表示素子の駆動が与えうる変化量、のうち、前記部材によって減じられる量、を補償するための値を算出する算出回路と、
前記算出回路によって算出された値を、前記駆動信号の対応する色に応じた調整値によって調整する調整回路と、を有することを特徴とする画像表示装置。
【請求項２】
前記調整回路は、前記算出回路によって算出された値を調整した値を補正値として出力するものであり、
前記補正回路は、さらに前記補正値を前記補正対象となる画像データに加算する補正値加算回路を有することを特徴とする請求項１に記載の画像表示装置。
【請求項３】
前記調整値は入力された画像データの値に応じて決められることを特徴とする請求項１または２に記載の画像表示装置。
【請求項４】
前記表示素子は、電子放出素子と、該電子放出素子と間隔を空けて配置され、該電子放出素子から放出される電子が照射されることによって発光する発光領域とを有し、
前記部材は、第１の発光領域に対応する第１の電子放出素子に近接する第２の電子放出素子が放出する電子に起因する電子を遮蔽することで、前記第２の電子放出素子が放出する電子に起因する前記電子が前記第１の発光領域に照射されるのを抑制する電子遮蔽部材であり、
前記算出回路によって算出される値は、前記第２の電子放出素子から放出された電子が前記第１の発光領域に照射されるのを前記電子遮蔽部材が遮蔽する遮蔽量に対応する値であることを特徴とする請求項１乃至３のいずれかに記載の画像表示装置。
【請求項５】
画像表示装置であって、
対応付けられた発光領域をそれぞれ有し、該発光領域を発光させることによって複数色から構成される画像を表示する複数の表示素子と、
入力された画像データに基づいて、前記表示素子を駆動するための各色に対応する駆動信号を出力する駆動回路と、を有し、
前記駆動回路は、補正された前記駆動信号を出力するための補正回路を有しており、
該補正回路は、
入力された画像データによる所定の発光領域の発光の量に対して、該所定の発光領域以外の発光領域に対応する表示素子の駆動が与える変化量、を補償するための値を算出する算出回路と、
前記算出回路によって算出された値を、前記駆動信号の対応する色に応じた調整値によって調整する調整回路と、を有することを特徴とする画像表示装置。
【発明の詳細な説明】
【技術分野】
【０００１】
本発明は、画像表示装置に関する。
【背景技術】
【０００２】
特許文献１には、電界放出ディスプレイにおけるスペーサの可視性を制御する方法として、スペーサ近傍の第１領域と、スペーサ非近傍の第２領域を定義し、スペーサを視者に対して見えなくするために、スペーサ近傍の第１領域の複数画素によって発生する光の強度レベルに応じて第１領域に伝送する画素データを修正するという画素データ補正方法が記載されている。
【特許文献１】米国特許第６，３０７，３２７号明細書
【発明の開示】
【発明が解決しようとする課題】
【０００３】
本発明の目的は、画像表示装置における補正性能を向上させることにある。
【課題を解決するための手段】
【０００４】
本発明の第１態様の画像表示装置は、
対応付けられた発光領域をそれぞれ有し、該発光領域を発光させることによって複数色から構成される画像を表示する複数の表示素子と、
複数の前記表示素子おきに配置される部材と、
入力された画像データに基づいて、前記表示素子を駆動するための各色に対応する駆動信号を出力する駆動回路と、を有し、
前記駆動回路は、補正された前記駆動信号を出力するための補正回路を有しており、
該補正回路は、
「入力された画像データによる所定の発光領域の発光の量に対して、該所定の発光領域以外の発光領域に対応する表示素子の駆動が与えうる変化量」のうち「前記部材によって減じられる量」を補償するための値を算出する算出回路と、
前記算出回路によって算出された値を、前記駆動信号の対応する色に応じた調整値によって調整する調整回路と、を有する。
【０００５】
ここで、「表示素子」は、表面伝導型放出素子や電界放出型素子などの電子放出素子を用いた電子線表示装置では、電子放出素子と、この電子放出素子から放出された電子によって照射され発光する蛍光体等の発光体とから構成される。この場合には、スペーサが上記「部材」として機能する。また、本発明はプラズマ表示装置にも適用できる。この場合には、放電セルが「表示素子」に相当し、放電セルを隔てる隔壁が「部材」に相当する。
【０００６】
前記調整回路は、前記算出回路によって算出された値を調整した値を補正値として出力するものであり、
前記補正回路は、さらに前記補正値を前記補正対象となる画像データに加算する補正値加算回路を有することが好ましい。
【０００７】
前記調整値は入力された画像データの値に応じて決められることが好ましい。
【０００８】
前記表示素子は、電子放出素子と、該電子放出素子と間隔を空けて配置され、該電子放出素子から放出される電子が照射されることによって発光する発光領域とを有し、
前記部材は、第１の発光領域に対応する第１の電子放出素子に近接する第２の電子放出素子が放出する電子に起因する電子を遮蔽することで、前記第２の電子放出素子が放出す
る電子に起因する前記電子が前記第１の発光領域に照射されるのを抑制する電子遮蔽部材であり、
前記算出回路によって算出される値は、前記第２の電子放出素子から放出された電子が前記第１の発光領域に照射されるのを前記電子遮蔽部材が遮蔽する遮蔽量に対応する値であることが好ましい。
【０００９】
本発明の第２態様の画像表示装置は、
対応付けられた発光領域をそれぞれ有し、該発光領域を発光させることによって複数色から構成される画像を表示する複数の表示素子と、
入力された画像データに基づいて、前記表示素子を駆動するための各色に対応する駆動信号を出力する駆動回路と、を有し、
前記駆動回路は、補正された前記駆動信号を出力するための補正回路を有しており、
該補正回路は、
「入力された画像データによる所定の発光領域の発光の量に対して、該所定の発光領域以外の発光領域に対応する表示素子の駆動が与える変化量」を補償するための値を算出する算出回路と、
前記算出回路によって算出された値を、前記駆動信号の対応する色に応じた調整値によって調整する調整回路と、を有する。
【発明の効果】
【００１０】
本発明によれば、補正性能が向上した画像表示装置を提供することができる。
【発明を実施するための最良の形態】
【００１１】
以下に図面を参照して、この発明の好適な実施の形態を例示的に詳しく説明する。
【００１２】
（第１の実施形態）
本発明の第１の実施形態について説明する。
【００１３】
本発明は、表面伝導型放出素子を用いた表示装置、電界放出型表示装置（ＦＥＤ）、プラズマ表示装置（ＰＤＰ）などに適用できる。表面伝導型放出素子を用いた表示装置やＦＥＤなどの電子線表示装置では、自発光した輝点輝度によって周辺画素でハレーション発光が生じる可能性がある点から、電子線表示装置は本発明が適用される好ましい形態である。更に、プラズマ表示装置においても放電セル間の隔壁がない場合や隔壁構造が画素単位より大きくなった場合などは同様に周辺画素へハレーション（クロストーク）が生じる可能性がある点から、プラズマ表示装置も本発明が適用される好ましい形態である。
【００１４】
まず、図３を用いて実施形態の画像表示装置の構成を示す。３０は表示パネルである。表示パネル３０は、薄型の真空容器内に、対向して配置された、基板上に多数の電子放出素子（例えば冷陰極素子）を配列してなるマルチ電子源と、電子の照射により画像を形成する画像形成部材（例えば蛍光体）とを備える。電子放出素子が行方向配線電極と列方向配線電極により単純マトリクス状に配線されており、列／行電極バイアスにより選択された素子から電子が放出される。電子を高圧電圧により加速し蛍光体に衝突させることで発光が得られる。本実施形態では、電子放出素子として、表面伝導型放出素子が用いられる。表面伝導型放出素子を用いた表示パネルの構成と製造法については、特開２０００−２５０４６３号公報に詳しく開示されている。
【００１５】
この表示パネル３０に映像信号を入力し表示するまでの動作を説明する。信号Ｓ１は入力映像信号である。信号処理部２０は、入力映像信号Ｓ１に対し表示に好適な信号処理を施し、表示信号Ｓ２を出力する。図３において信号処理部２０の機能については、本実施形態を説明する上での必要最小限の機能ブロックについて記載している。２１は逆γ補正
部である。一般的に、入力映像信号Ｓ１は、ＣＲＴディスプレイで表示することを前提として、ＣＲＴディスプレイの入力−発光特性に合わせたガンマ変換と呼ばれる0.45乗などの非線形変換が施されて伝送あるいは記録されている。その映像信号を、表面伝導型放出素子を用いた表示装置、ＦＥＤ、ＰＤＰなどの入力−発光特性が線形な表示デバイスに表示する場合には、入力信号に対して、2.2乗などの逆ガンマ変換を施す必要がある。逆γ補正部２１の出力データは、表示パネル３０の輝度とデータが線形になるように変換されている。その出力データは、ハレーション補正部２２に入力される。ハレーション補正部２２に関しては以降で詳しく説明する。ハレーション補正部２２からは、表示パネル３０に好適な映像を表示させるための表示信号Ｓ２が出力される。タイミング制御部２３は、入力映像信号Ｓ１と共に受け渡された同期信号を元に、各ブロックの動作のための各種タイミング信号を生成し出力する。
【００１６】
ＰＷＭパルス制御部２４は、水平１周期（行選択期間）毎に表示信号Ｓ２を表示パネル３０に適応した駆動信号に変換する（本実施形態では、パルス幅変調（ＰＷＭ））。駆動電圧制御部２５は、表示パネル３０に配置されている素子を駆動する電圧を制御する。列配線スイッチ部２６は、トランジスタなどのスイッチ手段により構成され、水平１周期（行選択期間）ごとに駆動電圧制御部２５からの出力をＰＷＭパルス制御部２４から出力されるＰＷＭパルス期間だけパネル列電極に印加する。行選択制御部２７は、表示パネル３０上の素子を駆動する行選択パルスを発生する。行配線スイッチ部２８は、トランジスタなどのスイッチ手段により構成され、行選択制御部２７から出力される行選択パルスに応じた駆動電圧制御部２５の出力を表示パネル３０に出力する。高電圧発生部２９は、表示パネル３０に配置されている電子放出素子から放出された電子を不図示の蛍光体に衝突させるために加速する加速電圧を発生する。以上により、表示パネル３０が駆動されて映像が表示される。
【００１７】
なお、本実施形態では、信号処理部２０、ＰＷＭパルス制御部２４、駆動電圧制御部２５、列配線スイッチ部２６、行選択制御部２７、行配線スイッチ部２８によって、本発明の駆動回路が構成される。また、ハレーション補正部２２によって、本発明の補正回路が構成される。
【００１８】
次に、ハレーション補正部２２について図１を用いて説明する。
【００１９】
ここで、図１の説明に入る前にハレーションとは何かについて以下に説明する。
【００２０】
図４（ａ）は、リアプレートに形成した電子放出素子と、該電子放出素子と間隔を空けてフェースプレートに配置される発光体（本例では、赤、青、緑の各色の蛍光体）とを用い、電子放出素子から放出される電子ビーム（１次電子）を前記発光体に照射して前記発光体を発光させる画像表示装置を示す。本発明者は、このような画像表示装置において色再現性が所望の状態とは異なるという特有の課題が生じることを見出した。具体的な例を挙げると、青の蛍光体にのみ電子を照射して青色の発光を得ようとした場合に、純粋な青ではなく、わずかに他の色すなわち、緑と赤の発光が混ざった発光状態、すなわち、彩度が良くない発光状態になることがわかった。本発明者は研究を重ねた結果、彩度の低下は、電子放出素子が放出する１次電子が、該電子放出素子に対応する発光体に入射することで、対応する発光体が輝点発光するだけでなく、上記発光体で反射することで近接(隣接も含む)の異なる色の発光領域に反射電子（２次電子）として入射することで周辺の発光体も発光させることが原因で生じていることを確認した。この反射電子による発光の様に、表示素子が近接する表示素子の駆動による影響を受けて発光する現象を、本明細書では「ハレーション」と呼んでいる。表面伝導型放出素子を用いた表示装置においては、図４（ｂ）に示すように、ある蛍光体に電子が照射されるとその画素を中心にハレーションによる円形発光（発光量としての輝度で表現すると輝点を中心とした円柱形に分布）が起きることが分かった。このハレーションの及ぶ円形領域の半径がｎ画素であれば、後ほど詳しく説明するハレーション補正処理のための画素参照範囲として２ｎ＋１タップのフィルタが必要になる。更に、前記ハレーションの及ぶ領域の半径は、蛍光体が配置されているフェースプレートと電子源が配置されているリアプレートとの間隔、画素サイズなどによって一意に決めても実用上差支えないことが分かった。したがって、フェースプレートとリアプレートの間隔がわかっていれば、フィルタタップ数は一意に決まる。本実施形態ではｎ＝５画素であったために、１１タップフィルタ、つまり、ハレーションの影響度を考慮する為には、図６に示したように１１画素×１１ラインのデータ参照を行えばよいことが分かる。このようにハレーションの及ぶ領域の半径は表示パネルの物理構造（フェースプレートとリアプレートとの間隔、画素サイズ）から得られる静的パラメータであるため、同一の補正回路を複数の種別の異なる表示パネルに対応させる場合は、図６のハレーションマスクパターンを可変パラメータとして変更できるようにしておけば良い。
【００２１】
図４（ａ）及び図４（ｂ）は反射電子の反射軌道にスペーサのような遮蔽部材がない場合（スペーサ非近傍）である。一方、スペーサのような遮蔽部材がある場合（スペーサ近傍）は反射電子（２次電子）が図５（ａ）に示すようにスペーサにより遮断されてしまうためハレーション強度が軽減する。よって、スペーサの最近接の電子放出素子から電子ビーム（１次電子）が放出された場合のハレーションの影響範囲は図５（ｂ）のように半円発光となってしまうことが分かった。（図４（ａ）、図５（ａ）は、ＲＧＢの蛍光体がライン方向（縦方向）に交互に配列されている「横ストライプ」を示している。しかし、これは説明を分かりやすくするためであり、実際の表示パネルは、ＲＧＢの蛍光体が水平方向に交互に配列されている「縦ストライプ」の構成を採用している。）
【００２２】
以上の動作は、１素子の駆動を例にして説明したハレーションの発生メカニズムである。本実施形態で用いた表示パネルには、水平方向に伸びる複数の長尺スペーサが数十ラインおきに実装されている。スペーサを全ラインに対応させて配置するのはコスト上の問題があるため、スペーサとスペーサとの間に１５ライン（１５素子）分以上の間隔を設けるのが好適である。スペーサとしては種々の形状のものを用いることができる。ここでは表示パネル内で水平方向のラインに沿って配置されており、表示パネルの水平方向の一端近傍から他端近傍に至る長さを持つ板状のスペーサを採用した。本願発明者はスペーサ間に複数の素子分の間隔を設けた構成において全面同色点灯をした場合について検討した。この構成においては、上述したハレーションによりスペーサ近傍とスペーサ非近傍の異なる領域間でハレーション量の違いが生じることがわかった。このハレーション量の違いによりスペーサ近傍では色純度が変化するスペーサむらという特有の課題が生じてしまうことが確認された。スペーサむらの程度は表示画像の点灯パターンにより異なる。例えば、全面青を点灯した場合、図８（ａ）に示したように、青の発光輝度にハレーション輝度が付加される。このハレーション輝度は、入力された画像データによる所定の発光領域の発光に対して、その所定の発光領域以外の発光領域を有する表示素子の駆動が与える変化量を意味する。スペーサ近傍はスペーサからの距離に依存して、反射電子の遮断量が段階的に変わるため、１０ライン程度の幅の段階的なくさび状の色純度の変化が視認される。このくさび状の輝度の落ち込みが、ハレーション輝度のうちスペーサによって減じられる量である。
【００２３】
なお所定の発光領域の発光の量としては、輝度を用いることができる。ただし、所定の水平ラインの発光領域に対して、異なる水平ラインの素子からのハレーションも考慮するのが望ましい。従って、所定の発光領域の発光の量としては、具体的には、所定期間（１フレーム期間、１垂直走査期間）における該発光領域の輝度の積分値を採用すればよい。
【００２４】
本発明者は鋭意努力の末、前述したスペーサむらを引き起こす要因を考慮し、表示パネルの画質を改善できる新規な画像表示装置の構成及び駆動信号の補正方法を見出した。以
下では画像表示装置及び駆動信号の補正方法の具体的な例について図１を用いて説明する。
【００２５】
ラインメモリ１は、本実施形態では１１ラインメモリで構成される。元画像データは、ラインメモリ１にライン単位で順次書き込まれる。１１ライン分のデータが格納された時点で演算参照のために１１画素×１１ラインのデータが同時に読み出される。
【００２６】
同時に読み出された注目画素を中心とした１１画素×１１ラインのデータは、選択的加算部２で演算用に参照される。注目画素のデータは補正加算部６に渡される。選択的加算部２は、スペーサ近傍の注目画素において、周囲の画素からの反射電子のうちスペーサにより遮断された分のみを選択的に加算する。選択的加算部２は、スペーサ位置情報生成部３で生成された注目画素とスペーサとの位置関係を示すＳＰＤ値（Spacer Distance）により、注目画素がスペーサ近傍にあるかどうか判断する。スペーサ位置情報生成部３は、タイミング制御部２３より受け取ったタイミング制御信号とスペーサ位置情報を元に、ＳＰＤ値を生成する。スペーサ近傍の注目画素に関し、反射電子が遮断される画素は、図７のように１０パターンある。各パターンに、１〜１０のＳＰＤ値が割り当てられている。遮断量に関係する総点灯量は、ＳＰＤ値に応じてグレーで示した画素を選択し、これらの画素の値をすべて加算することで求めることができる。なお、１画素は赤（Ｒ）、緑（Ｇ）、青（Ｂ）の発光領域を有している。入力信号は１画素に対応するＲ信号、Ｇ信号、Ｂ信号としてそれぞれ入力される構成を採用している。選択的加算部２は、各色毎に遮断量に関係するデータの積算を行い、ＲＧＢの各色の該積算の結果の和を算出し出力する。スペーサの非近傍に対しては、反射電子のスペーサによる遮断は起きないため、加算結果は０とすればよい。係数乗算部４は、加算結果のうち何％が遮断されたハレーション分になるかを示す係数（ハレーションゲイン値）を、加算結果に乗算する。係数は通常０と１の間の値を取り、実際のパネルにおいては１．５％程度の値である。係数乗算部４から出力されるデータは、ハレーション輝度のうちスペーサにより減じられる量を算出した値となる。上述のように、この値は、各色に対応する画像データを合わせて評価した値となっている。
【００２７】
係数乗算部４により算出した補正データを、補正加算部６で元画像データに加算すれば、スペーサ近傍の画像データに対し、スペーサによって遮断された反射電子分のハレーション相当の補正値が加算されたことになる。その結果を補正画像として出力すると、図８（ａ）のような補正前に見られたスペーサ近傍の色純度の段階的な変化が抑制され、図８（ｂ）に示したように、画面全体としてスペーサ非近傍と近傍の色純度の違いが低減する。これにより、ハレーションによるスペーサむらを補正することができる。
【００２８】
ここで、本発明者は、以上の説明したような補正方法を用いて、実際の表示パネルを点灯させて確認を行ったところ、スペーサ非近傍と近傍の色純度の違いを低減する補正度合いに、点灯色に応じてばらつき傾向があることを見出した。具体的には、Ｇ点灯をした時には、スペーサ非近傍と近傍の色純度の違いが分からないように補正されていても、Ｒ点灯、Ｂ点灯をしてみると、スペーサ非近傍と近傍の色純度の違いは軽減されてはいるが、まだ補正不足といった見え方をしていることがわかった。
【００２９】
そこで本実施形態では、補正対象となる画素に対応するＲデータ、Ｇデータ、Ｂデータ（補正対象データ）に対して、同じ補正値ではなく、色に応じて調整を行った補正値を適用する。具体的には、調整ゲイン乗算部５が、係数乗算部４から出力された補正データに対し、Ｒ、Ｇ、Ｂの各色に応じた調整ゲイン値を乗ずることで、補正値の調整を行う。この調整により得られた各色に対応する補正値をＲ補正値、Ｇ補正値、Ｂ補正値とすると、各色に対応する補正された画像データＲｏｕｔ，Ｇｏｕｔ，Ｂｏｕｔは以下のようになる。
Ｒｏｕｔ＝Ｒｉｎ＋Ｒ補正値
Ｇｏｕｔ＝Ｇｉｎ＋Ｇ補正値
Ｂｏｕｔ＝Ｂｉｎ＋Ｂ補正値
【００３０】
なお、Ｒ補正値、Ｇ補正値、Ｂ補正値は全てが互いに異なる値を持つ必要はない。
【００３１】
ここで各点灯色の色成分ごとに補正量のばらつき傾向を調べて見たところ、図９に示した結果が得られた。
【００３２】
図９は、単色点灯のＲ（赤），Ｇ（緑），Ｂ（青）、２色点灯のＹｅ（黄）,Ｃｙ（シアン）,Ｍｇ（マゼンタ）、３色点灯のＷ（白）の７パターンの各点灯色のＲ成分、Ｇ成分、Ｂ成分に対して、スペーサ近傍と非近傍領域の色ずれがなくなるように、調整ゲイン乗算部５のＲ、Ｇ、Ｂ調整ゲイン値の調整を行った結果を示したものである。このときに各色成分のみ分離して目視調整ができるように、Ｒ成分を調整するときはＲカラーフィルタ、Ｇ成分を調整するときにはＧカラーフィルタ、Ｂ成分を調整するときにはＢカラーフィルタを通して見ながら調整を行った。具体的には、Ｂ点灯時のＲ成分の調整は、Ｂ点灯状態でＲカラーフィルタを通して行い、スペーサ非近傍と近傍の色純度の違いが視認できなくなるＲ調整ゲイン値を決定した。Ｂ点灯時のＧ成分の調整は、Ｂ点灯状態でＧカラーフィルタを通して行い、スペーサ非近傍と近傍の色純度の違いが視認できなくなるＧ調整ゲイン値を決定した。Ｂ点灯時のＢ成分の調整は、Ｂ点灯状態でＢカラーフィルタを通して行い、スペーサ非近傍と近傍の色純度の違いが視認できなくなるＢ調整ゲイン値を決定した。
【００３３】
Ｒ、Ｇ、Ｂ調整ゲイン値が１．０であれば補正データは変わらないことを意味している。特徴的なのは、ＲとＢの単色点灯をした場合、そのＧ成分への補正量（Ｇ補正値）は、１．１〜１．４倍に大きくする必要がある点である。図９の結果は、ある表示パネルでの一例であるが、数値のばらつきはあるものの概ねほとんどのパネルでこのような傾向があることが分かった。
【００３４】
そして、この結果を元に、係数乗算部４から出力された補正データに、調整ゲイン乗算部５で、例えば、
Ｒ調整ゲイン値＝１．０
Ｇ調整ゲイン値＝１．４（ハレーションによる色ずれが最も目立つＢ点灯に合わせた時）
Ｂ調整ゲイン値＝１．０
のようにＲＧＢ各色に対応した調整ゲイン値を乗じる調整を行い、Ｇ成分への補正量（Ｇ補正値）を、Ｒ成分への補正量（Ｒ補正値）、Ｂ成分への補正量（Ｂ補正値）よりも大きくした。これにより、特にＢの単色点灯時に生じた補正不足を軽減させることが可能になった。
【００３５】
上記したように、ハレーションによるスペーサむらを軽減するハレーション補正において、元画像データであるＲＧＢ各色の信号に一律に同一の補正量を加算すると、点灯色により過補正、補正残り等の補正誤差が発生することがある。しかし、本実施形態のように補正量のバランス調整を行うことで、補正誤差が低減される。また、補正対象である元画像データの色に対する補正量の増減を一定の重み付けで定義できるため、調整率を乗ずる調整ゲイン乗算部５を簡単な回路で構成できる。
【００３６】
上記した実施形態では、ラインメモリ１、選択的加算部２、スペーサ位置情報生成部３、及び、係数乗算部４によって、本発明の算出回路が構成される。また、本発明の調整回路及び補正値加算回路は、それぞれ調整ゲイン乗算部５及び補正加算部６に相当する。
【００３７】
以上述べた実施形態においては、表示パネルを上述の各条件で点灯させて、補正回路の最適な補正条件を見出した。なお、表示パネルの仕様（例えば使用する電子放出素子の種類や、駆動電圧や、使用する蛍光体の種類など）が異なる場合には、最適な補正条件は必ずしも同じにはならない。その場合は、本発明を適用する表示パネルに応じて最適な補正条件を適用できるように調整ゲイン乗算部５に対するＲ、Ｇ、Ｂの各調整ゲイン値を再設定すればよい。また、図９に示した数値が表示パネルごとのばらつきで変わる場合は、前述したような調整工程により調整率を取得し、これを元にＲ、Ｇ、Ｂの各調整ゲイン値を微調整することもできる。
【００３８】
（第２の実施形態）
第１の実施形態では、スペーサ近傍において、スペーサによる反射電子の遮断量を算出し補正量を求めると共に、この補正量が、色ごとに“あらかじめ決めた固定された調整ゲイン値”により調整されることが特徴であった。この方法は、簡易的に補正量の色バランスを調整する場合に有効となる。しかし、図９の例では、Ｇ成分への補正量（Ｇ補正値）が元画像データによらず常に一定の増率であるために、例えば、Ｒ点灯に合わせた時は、Ｂ点灯時のＧ補正値が不足になり、Ｂ点灯に合わせた時は、Ｒ点灯時のＧ補正値が過補正になるなど、点灯色に応じた最適化をすることができない場合もある。
【００３９】
以下に、本実施形態のポイントである、上述したような点灯色に応じてハレーション付加量の最適化を行う方法について、図２を用いて説明する。
【００４０】
図２に示す第２実施形態のハレーション補正部は、カラーバランス制御ＬＵＴ７が追加された以外は、図１と同一の構成である。カラーバランス制御ＬＵＴ７は、ラインメモリ１から出力されるＲ、Ｇ、Ｂの各元画像データの全パターンの組み合わせを参照用のアドレスとして持ち、それに対応したＲ、Ｇ、Ｂの各調整ゲイン値を予め記憶している。これにより、元画像データの点灯パターンに応じて、動的に色ごとに調整ゲイン値を変えることができる。上記のような参照テーブル方式は、調整の自由度が大きくなる反面、参照する元画像データのビット数により参照テーブルを構成するメモリ容量が大きくなる。このような場合、元画像データの参照ビット数を、上位数ビットに減じることでメモリ容量を小さくするようにしても良い。そして、この参照テーブルの内容は、図９に示したような調整結果をそのまま反映させれば良い。また、図９の結果は説明を分かりやすくするために７種類の点灯パターンの例しかあげていないが、実際は上記参照テーブルの参照する点灯パターンの組み合わせに応じて、第１の実施形態で説明した調整工程により参照テーブルの内容を増やせばよい。
【００４１】
以上のように、調整ゲイン乗算部５に対するＲ、Ｇ、Ｂの各調整ゲイン値を、点灯色に応じて動的に変更することにより、ハレーション付加量のカラーバランスの最適化を行うことが可能になる。
【００４２】
上記したように、本実施形態では、元画像データに応じて調整率を細かく設定でき、その調整率を動的に変化させることができる。これにより、補正誤差が著しく軽減するため、補正性能がより一層向上する。
【００４３】
本実施形態では、調整ゲイン乗算部５とカラーバランス制御ＬＵＴ７が本発明の調整回路に相当する。
【００４４】
以上述べた実施形態においては、表示パネルを上述の各条件で点灯させて、補正回路の最適な補正条件を見出した。なお、表示パネルの仕様（例えば使用する電子放出素子の種類や、駆動電圧や、使用する蛍光体の種類など）が異なる場合には、最適な補正条件は必
ずしも同じにはならない。この場合は、参照テーブルの内容を書き換えることで対応することができる。
【００４５】
また、カラーバランス制御ＬＵＴ７は、メモリを用いた参照テーブルで構成する例について説明したが、元画像データに応じて、色ごとに調整率が変えられる仕組みが実装できるのであれば、論理ロジックのみで構成されていても、ＣＰＵやメディアプロセッサなどのソフトウェアで構成されても構わない。
【００４６】
また更には、本実施形態では、カラーバランス制御ＬＵＴ７と調整ゲイン乗算部５を分離した構成で説明したが、補正データを元画像データに応じて自由に調整（増減できる調整はすべて含む。）できる仕組みであれば、１つのテーブルとしてまとめた構成で実現しても構わない。
【００４７】
(第３の実施形態)
以上述べた実施形態では、補正対象画素の近傍に位置する画素が補正対象画素の明るさに対して与え得る明るさの増分のうち、スペーサによって遮蔽される分に相当する補正値を演算する構成を示した。該演算により得られた補正値は補正対象データを大きくするように補正対象データに対して演算される。
【００４８】
一方本実施形態では、補正対象画素の近傍に位置する画素が補正対象画素の明るさに対して与える明るさの増分に相当する補正値を演算する構成とする。ここでは、得られた補正値によって、補正対象画像の明るさを、近傍に位置する画素によって補正対象画素に与えられる明るさの分減少させるように補正を行う。
【００４９】
本実施形態のハレーション補正部の構成は図１と同じである。ただし、選択的加算部２及び補正加算部６の動作が第１、第２の実施形態とは異なる。
【００５０】
補正対象画素がスペーサから充分に離れている場合と、スペーサ近傍に位置する場合とでそれぞれ以下のように制御する。
【００５１】
・スペーサから充分にはなれている場合
補正対象画素に対してハレーションによる影響を及ぼし得る画素(近傍画素)と、補正対象画素との間にスペーサがなければ、その補正対象画素に対してはスペーサによるハレーションを遮蔽する作用は影響しない。従って、選択的加算部２において近傍画素（１１画素×１１画素）のデータをすべて積算して出力する。
【００５２】
・スペーサ近傍
スペーサ近傍では、近傍画素のうち、スペーサに対して補正対象画素と同じ側に位置する近傍画素のデータのみを加算する。すなわち、第１、第２の実施形態においては、図７においてグレーで示された位置の画素のデータを積算するものとしたが、本実施形態ではハレーション半径の円内のうちの、白丸で示された位置の画素のデータを積算する。
【００５３】
以上のようにして得られた積算値を用いて第１、第２の実施形態と同様に補正値を算出する。
【００５４】
この実施形態は、ハレーションによって生じる輝度増分を、補正によって減少させる構成であるため、補正加算部６では補正対象データから補正値を減算する処理を行う。
【００５５】
なお以上から明らかなようにこの形態はスペーサを用いない構成においても適用できる。スペーサもしくはスペーサに相当する部材を用いない表示パネルであれば上述のスペー
サから充分に離れている場合の処理を全領域で行えばよい。
【００５６】
なおここでは表面伝導型放出素子を用いた表示装置の例を挙げているが、その他の表示装置においてもここでハレーションとして説明しているようなクロストークが発生しうる。例えばプラズマ表示装置においては、一つの素子が発生したプラズマが近接した素子の明るさに影響を与え得る。また液晶表示装置や有機EL表示装置の場合には、一つの素子に与えられた駆動電圧が、近接した素子の駆動電圧に影響を与え得る。これらの表示装置においても以上で詳細に示した実施形態と同様にクロストークを補正することができる。なおバックライトやプロジェクション用光源と合わせて用いる透過型の液晶表示装置においては、発光領域は光を透過する領域を意味する。また反射型の液晶表示装置においては、発光領域は光を反射する領域を意味する。
【図面の簡単な説明】
【００５７】
【図１】本発明の第１の実施形態に係るハレーション補正部のブロック図。
【図２】本発明の第２の実施形態に係るハレーション補正部のブロック図。
【図３】本発明の実施形態に係る画像表示装置のブロック図。
【図４】スペーサ非近傍でのハレーション発生メカニズムの説明図。
【図５】スペーサ近傍でのハレーション発生メカニズムの説明図。
【図６】１１×１１のハレーションマスクパターン図。
【図７】注目画素とスペーサとの距離に応じて反射電子が遮断される画素領域の対応図。
【図８】遮断量加算方式によるハレーション補正のイメージ図。
【図９】補正量の点灯色に応じた色ごとの調整率を示す対応表。
【符号の説明】
【００５８】
１  ラインメモリ
２  選択的加算部
３  スペーサ位置情報生成部
４  係数乗算部
５  調整ゲイン乗算部
６  補正加算部
７  カラーバランス制御ＬＵＴ
２０  信号処理部
２１  逆γ補正部
２２  ハレーション補正部
２３  タイミング制御部
２４  ＰＷＭパルス制御部
２５  駆動電圧制御部
２６  列配線スイッチ部
２７  行選択制御部
２８  行配線スイッチ部
２９  高電圧発生部
３０  表示パネル
【図１】
2006195444.tif 000003
【図２】
2006195444.tif 000004
【図３】
2006195444.tif 000005
【図４】
2006195444.tif 000006
【図５】
2006195444.tif 000007
【図６】
2006195444.tif 000008
【図７】
2006195444.tif 000009
【図８】
2006195444.tif 000010
【図９】
2006195444.tif 000011